(57)【特許請求の範囲】
【請求項１】
柱本体に箱状金物が内蔵され、
箱状金物の対向する二面間を埋めるようにかい木が装填されてなる柱。
【請求項２】
前記柱本体と箱状金物とが該箱状金物の対向する二面に刺通されるピンによって接合され、
かい木にはピンとの干渉を回避する切欠きが設けられてなる請求項１に記載の柱。
【請求項３】
前記請求項１又は２に記載の柱が下部構造体の上に立設され、下部構造体の側から延出するボルトが箱状金物の底部に挿通され、その挿通端にナットが螺着されて柱と下部構造体とが接合されてなる柱の下部構造体との締結構造。
【請求項４】
前記かい木がボルトの挿通端に螺着されたナットの上方移動を規制してなる請求項３に記載の柱の下部構造体との締結構造。
【請求項５】
請求項３又は４に記載の柱の下部構造体との締結構造が適用された柱が、下部構造体としての床パネルの上に立設されてなる建物ユニット。
【発明の詳細な説明】
【技術分野】
【０００１】
本発明は柱、柱の下部構造体との締結構造及び建物ユニットに関する。
【背景技術】
【０００２】
従来、ユニット建物等の建物を構成する柱では、柱が立設される床パネル又は基礎等の下部構造体との接合強度を高めるため、柱本体に箱状金物が内蔵されている。
【０００３】
即ち、従来の建物では、柱を床パネル又は基礎等の下部構造体の上に立設するとき、下部構造体の側から延出するボルト（ジョイントボルト又はアンカーボルト）を箱状金物の底部に設けたボルト挿通孔に通してその上方に突出させ、その突出端にナットを螺着している。これにより、建物の柱を下部構造体に締結し、柱が下部構造体に対して変位することの防止を図っている。
【０００４】
ここで、従来の柱において柱本体に内蔵される箱状金物は、特許文献１に記載の如く、角形箱状をなし、対向する二面間に中空部が形成されている。そして、柱本体と箱状金物とは、該箱状金物の対向する二面に刺通されるピンによって接合される。これにより、柱本体に作用する上下方向荷重はピンを介して箱状金物に伝達されるものになる。
【先行技術文献】
【特許文献】
【０００５】
【特許文献１】特開平9-125525号公報
【発明の概要】
【発明が解決しようとする課題】
【０００６】
しかしながら、従来の柱本体に内蔵された箱状金物にあっては、柱本体に作用する下方向荷重がピンを介して伝達されると、この下方向荷重に起因する圧縮力が中空部を挟んで対向する二面のそれぞれを該中空部に向けて湾曲状に曲げ変形させ、つぶれを生じさせるおそれがあることから、強度の向上に限界がある。
【０００７】
また、従来の柱本体に箱状金物を内蔵してなる柱の下部構造体との締結構造では、箱状金物の底部に挿通したボルトに螺着されているナットが建物ユニットの工場から現地への輸送時に作用する激しい振動によってゆるむ可能性があり、現地でナットの締め付け状態を再確認する必要があった。
【０００８】
本発明の課題は、柱本体に箱状金物を内蔵してなる柱の強度向上を図ることにある。
【０００９】
本発明の他の課題は、柱本体に箱状金物を内蔵してなる柱の下部構造体との締結構造において、箱状金物の底部に挿通したボルトに螺着されているナットのゆるみ止めを図り、現地での再確認を不要とすることにある。
【課題を解決するための手段】
【００１０】
請求項１に係る発明は、柱本体に箱状金物が内蔵され、箱状金物の対向する二面間を埋めるようにかい木が装填されてなる柱である。
【００１１】
請求項２に係る発明は、請求項１に係る発明において更に、前記柱本体と箱状金物とが該箱状金物の対向する二面に刺通されるピンによって接合され、かい木にはピンとの干渉を回避する切欠きが設けられてなるようにしたものである。
【００１２】
請求項３に係る発明は、前記請求項１又は２に記載の柱が下部構造体の上に立設され、下部構造体の側から延出するボルトが箱状金物の底部に挿通され、その挿通端にナットが螺着されて柱と下部構造体とが接合されてなる柱の下部構造体との締結構造である。
【００１３】
請求項４に係る発明は、請求項３に係る発明において更に、前記かい木がボルトの挿通端に螺着されたナットの上方移動を規制してなるようにしたものである。
【００１４】
請求項５に係る発明は、請求項３又は４に記載の柱の下部構造体との締結構造が適用された柱が、下部構造体としての床パネルの上に立設されてなる建物ユニットである。
【発明の効果】
【００１５】
（請求項１）
(a)箱状金物が内蔵された柱本体に下方向荷重が作用し、この下方向荷重が箱状金物に伝達されて該箱状金物の中空部を挟んで対向する二面のそれぞれを該中空部に向けて湾曲状に曲げ変形させようとしても、それらの二面間に装填されているかい木がその曲げ変形を阻止する。これにより、箱状金物の強度向上を図ることができる。
【００１６】
（請求項２）
(b)箱状金物が、該箱状金物の対向する二面に刺通されるピンによって柱本体に接合されてなるとき、かい木は切欠きの存在によってピンとの干渉を回避しながら、箱状金物の対向する二面間を埋めるように装填できる。
【００１７】
（請求項３）
(c)下部構造体の側から延出するボルトが箱状金物の底部に挿通され、その挿通端にナットが螺着されることにより、柱本体と下部構造体とが箱状金物を介して確実に接合される。
【００１８】
（請求項４）
(d)箱状金物の対向する二面間を埋めるように装填されたかい木が、上述(c)の箱状金物の底部に挿通されたボルトの挿通端に螺着されたナットの上方移動を規制する。従って、ボルトに螺着されたナットの振動によるゆるみ止めを図り、現地での再確認を不要とすることができる。
【００１９】
（請求項５）
(e)柱が下部構造体としての床パネルの上に立設された建物ユニットにおいて、上述(a)〜(d)を実現できる。
【図面の簡単な説明】
【００２０】
【図１】図１は建物ユニットにおける柱と床パネルとの締結構造を示す断面図である。
【図２】図２は図１のII−II線に沿う断面図である。
【図３】図３は柱と床パネルとの締結構造を示す斜視図である。
【図４】図４はかい木によるナットのゆるみ止め構造を示す断面図である。
【図５】図５はかい木の固定過程を示す斜視図である。
【発明を実施するための形態】
【００２１】
図１、図２は、本発明が適用されたユニット建物１００を示す。ユニット建物１００は、基礎１０の上に複数の建物ユニット３０のそれぞれを据付けて構築される（図１、図２では、複数の建物ユニット３０のうちの１個の建物ユニット３０を示している）。
【００２２】
基礎１０は、図１に示す如く、長手方向複数位置に植設されたアンカーボルト１１がその上面から上方に突出して設けられる。
【００２３】
建物ユニット３０は、床パネル４０の外縁部の上に壁パネル５０を設置して形成される。
【００２４】
床パネル４０は、木材からなる根太４１によって方形に組立てられた床枠組４２を有し、床枠組４２の上面に床面材４３を張設している。床枠組４２の下部周縁部には接合用枠材４４（土台）が設けられている。尚、接合用枠材４４の下面で、後述する連結具６０の下座金６１が添設される部分には、下座金６１が納まる面積、深さのザグリ４５が形成されている。また、接合用枠材４４は前述のアンカーボルト１１が鉛直に挿通するボルト挿通孔４４Ｈを備える。また、接合用枠材４４、床面材４３は連結具６０の連結ボルト６２が鉛直に挿通するボルト挿通孔４４Ｋ、４３Ｋを備える。
【００２５】
壁パネル５０は、木材からなる柱５１及び下枠５２により形成される壁枠組５４を有し、壁枠組５４の外面に壁面材５５を張設している。尚、壁パネル５０の下枠５２は後述する連結具６０の連結ボルト６２が鉛直に挿通するボルト挿通孔５２Ｋを備える。
【００２６】
以下、建物ユニット３０の生産工場における床パネル４０と壁パネル５０の連結構造、換言すれば壁パネル５０の柱５１が床パネル４０の上に立設される構造（柱５１の床パネル４０との締結構造）について説明する。これらの連結構造では、連結具６０が用いられる。連結具６０は、図１、図２に示す如く、矩形板状の下座金６１を備えるとともに、連結ボルト６２の下端ねじ部６２Ａを下座金６１の上面の一端側に溶接された長ナット６３に螺着して備える。連結具６０は、下座金６１を下端部に備え、連結ボルト６２の上端ねじ部６２Ｂを下座金６１から上方に延出させて備える。下座金６１は、前述したアンカーボルト１１のためのボルト挿通孔６１Ｈを長ナット６３から離隔する他端側に備える。
【００２７】
建物ユニット３０において、壁パネル５０を構成している柱５１は、隣り合う左右一対のスタッド５１Ａ、５１Ｂからなり、それらのスタッド５１Ａ、５１Ｂの間にスペーサ５１Ｓを介在させて一定の間隔を形成し、この間隔の下枠５２上に箱状金物７０を内蔵する。ここで、柱５１は、スタッド５１Ａ、５１Ｂ、スペーサ５１Ｓが結合したものを柱本体５１Ｌとする。箱状金物７０の左右の両側面（側面部７１、７２）は柱本体５１Ｌの左右のスタッド５１Ａ、５１Ｂに隙間なく接する。
【００２８】
箱状金物７０は、図１、図２に示す如く、左右の側面部７１、７２と、上面部７３と、下面部７４の四面からなる角形箱状に形成されている。箱状金物７０は、単体としては、左右で対向する両側面部７１、７２の二面間（及び上下で対向する上面部７３と下面部７４の二面間）に中空部７５を形成している。
【００２９】
本実施例の箱状金物７０は、２枚のコの字状板材の溶接体であり、各板材の上下の両端折曲げ部を重ね合せて溶接し、それらの重ね合せた折曲げ部を上面部７３と下面部７４としている。尚、箱状金物７０は、角形管材から形成されて無端周回状をなすものでも良い。
【００３０】
箱状金物７０は、下面部７４が形成する底部に、前述した連結具６０の連結ボルト６２のためのボルト挿通孔７４Ｈを備える。箱状金物７０は、柱本体５１Ｌの一対のスタッド５１Ａ、５１Ｂに挿通された上下２本のピン７６が、両側面部７１、７２の対向する二面に挿通されて保持される。床パネル４０の側に後述する如くに組み込まれて延出する連結具６０の連結ボルト６２における上端ねじ部６２Ｂが、箱状金物７０の底部のボルト挿通孔７４Ｈに挿通され、この上端ねじ部６２Ｂの挿通端に平座金７７が挿着され、更にナット７８が螺着されることにより、床パネル４０と壁パネル５０の柱５１とが連結されて接合される。
【００３１】
床パネル４０には連結具６０が以下の如くにして組込まれる。まず、床パネル４０を接合用枠材４４の下面が上向き面となるように裏返しにし、接合用枠材４４、床面材４３に備えたボルト挿通孔４４Ｋ、４３Ｋに連結具６０の連結ボルト６２が挿通される。更に、連結具６０の下座金６１に備えたボルト挿通孔６１Ｈを接合用枠材４４に備えたボルト挿通孔４４Ｈに位置合わせしつつ、下座金６１を接合用枠材４４の下面のザグリ４５に納める状態で、下座金６１の４隅のねじ孔（不図示）に挿通される止ねじ（不図示）で該下座金６１を接合用枠材４４に固定的に取付ける。連結ボルト６２の上端ねじ部６２Ｂは床パネル４０の床面材４３に備えたボルト挿通孔４３Ｋを貫通して外方に突出するものになる（図６）。
【００３２】
続いて、床パネル４０における床面材４３の外縁部に壁パネル５０の下枠５２をセットする。このとき、床面材４３から上方に突出している連結ボルト６２の上端ねじ部６２Ｂが、壁パネル５０内の下枠５２上に配設済の枠状金具７０の底部のボルト挿通孔７４Ｈに挿入される。枠状金具７０のボルト挿通孔７４Ｈに挿入された連結ボルト６２の上端ねじ部６２Ｂまわりに矩形状の平座金７７がセットされ、ナット７８が連結ボルト６２の上端ねじ部６２Ｂに螺着される。これにより、建物ユニット３０における床パネル４０の下端部の接合用枠材４４の側から該床パネル４０における床面材４３の上方にまで延在する連結具６０における連結ボルト６２の上端ねじ部６２Ｂが、壁パネル５０の内部の枠状金具７０を貫通し、該枠状金具７０にセットしたナット７８に螺着され、床パネル４０と壁パネル５０が連結された建物ユニット３０が形成されるものになる。
【００３３】
このようにして形成された建物ユニット３０は、基礎１０の上に据付けられる。即ち、建物ユニット３０における床パネル４０に前述の如くに組込まれている連結具６０が下端部に備える下座金６１は、図１、図２に示す如く、該床パネル４０の下端部の接合用枠材４４に形成したザグリ４５に納められて該接合用枠材４４に添設している状態で、基礎１０の上に載置される。
【００３４】
このとき、基礎１０の上方に突出しているアンカーボルト１１は、連結具６０の下座金６１が備えるボルト挿通孔６１Ｈ、及び床パネル４０における接合用枠材４４が備えるボルト挿通孔４４Ｈを貫通し、その貫通端まわりに座金１３がセットされ、ナット１４がその貫通端に螺着される。これにより、アンカーボルト１１が連結具６０の下座金６１及び床パネル４０の下端部の接合用枠材４４に締結されるものになる。
【００３５】
しかるに、建物ユニット３０にあっては、図３〜図５に示す如く、予め工場において箱状金物７０の中空部７５に、両側面部７１、７２の対向する二面間を埋めるように木材等からなるかい木８０が装填される。従って、かい木８０の板厚は箱状金物７０の両側面部７１、７２の対向間隔と概ね同一サイズである。また、かい木８０には前述の上下のピン７６の干渉を回避する上下の切欠き８１、８２が設けられる。
【００３６】
また、建物ユニット３０にあっては、箱状金物７０の中空部７５に挿填されたかい木８０が、箱状金物７０の底部のボルト挿通孔７４Ｈに挿通された連結具６０における連結ボルト６２の挿通端に螺着されたナット７８の上方移動を規制する。本実施例では、連結具６０における連結ボルト６２の挿通端に螺着されたナット７８から突出している該連結ボルト６２の先端まわりにナットゆるみ止めカラー９０を挿着し、このカラー９０をナット７８の上面に着座させる状態で、箱状金物７０の中空部７５にかい木８０を装填する。このとき、かい木８０の下面はカラー９０の上面に隙間なく当接するものとされる。
【００３７】
従って、連結具６０と箱状金物７０を用いた床パネル４０と壁パネル５０の連結状態下で、かい木８０の取付手順は例えば以下の通りになる。
【００３８】
(1)ボルトゆるみ止めカラー９０を、連結具６０における連結ボルト６２の挿通端に螺着されたナット７８から突出している該連結ボルト６２の先端に挿着する（図３（Ａ））。
【００３９】
(2)かい木８０を箱状金物７０の中空部７５に装填する（図３（Ｂ）、図４）。かい木８０は下面をナットゆるみ止めカラー９０の上端面に隙間なく挿入し、左右の両側面を箱状金物７０の両側面部７１、７２の対向する二面に隙間なく挿入する。
【００４０】
(3)箱状金物７０の中空部７５に装填されたかい木８０の外界に臨む端面（切欠き８１、８２が開口している面に対する反対面）の両側縁部における上下２位置を、柱本体５１Ｌの両側のスタッド５１Ａ、５１Ｂにタッカー５３で止める（図５）。
【００４１】
本実施例によれば、以下の作用効果を奏する。
(a)箱状金物７０が内蔵された柱本体５１Ｌに下方向荷重が作用し、この下方向荷重が箱状金物７０に伝達されて該箱状金物７０の中空部７５を挟んで対向する二面のそれぞれを該中空部７５に向けて湾曲状に曲げ変形させようとしても、それらの二面間に装填されているかい木８０がその曲げ変形を阻止する。これにより、箱状金物７０の強度向上を図ることができる。
【００４２】
(b)箱状金物７０が、該箱状金物７０の対向する二面に刺通されるピン７６によって柱５１に接合されてなるとき、かい木８０は切欠き８１、８２の存在によってピン７６との干渉を回避しながら、箱状金物７０の対向する二面間を埋めるように装填できる。
【００４３】
(c)床パネル４０の側から延出する連結ボルト６２が箱状金物７０の底部に挿通され、その挿通端にナット７８が螺着されることにより、柱本体５１Ｌと床パネル４０とが箱状金物７０を介して確実に接合される。
【００４４】
(d)箱状金物７０の対向する二面間を埋めるように装填されたかい木８０が、上述(c)の箱状金物７０の底部に挿通された連結ボルト６２の挿通端に螺着されたナット７８の上方移動を規制する。従って、連結ボルト６２に螺着されたナット７８の振動によるゆるみ止めを図り、現地での再確認を不要とすることができる。
【００４５】
(e)柱５１が下部構造体としての床パネル４０の上に立設された建物ユニット３０において、上述(a)〜(d)を実現できる。
【００４６】
以上、本発明の実施例を図面により詳述したが、本発明の具体的な構成はこの実施例に限られるものではなく、本発明の要旨を逸脱しない範囲の設計の変更等があっても本発明に含まれる。例えば、本発明の柱は壁パネルを構成するものに限らない。
【００４７】
また、本発明の柱が立設される下部構造体は下階床パネルに限らず、上階床パネルであっても良い。また、本発明の柱が立設される下部構造体は床パネルに限らない。
【００４８】
また、本発明の柱の下部構造体との締結構造は、建物ユニットに限らず、広く一般の建物においても適用できる。
【産業上の利用可能性】
【００４９】
本発明によれば、柱本体に箱状金物を内蔵してなる柱の強度向上を図ることができる。
【００５０】
また、本発明によれば、柱本体に箱状金物を内蔵してなる柱の下部構造体との締結構造において、箱状金物の底部に挿通したボルトに螺着されているナットのゆるみ止めを図り、現地での再確認を不要とすることができる。
【符号の説明】
【００５１】
３０  建物ユニット
４０  床パネル（下部構造体）
５０  壁パネル
５１  柱
５１Ｌ  柱本体
６２  連結ボルト
７０  箱状金物
７５  中空部
７６  ピン
７８  ナット
８０  かい木
８１、８２  切欠き
９０  ナットゆるみ止めカラー
【図１】
0006487806.tif 000002
【図２】
0006487806.tif 000003
【図３】
0006487806.tif 000004
【図４】
0006487806.tif 000005
【図５】
0006487806.tif 000006